【手続補正書】
【提出日】令和1年6月3日(2019.6.3)
【手続補正１】
【補正対象書類名】特許請求の範囲
【補正対象項目名】全文
【補正方法】変更
【補正の内容】
【特許請求の範囲】
【請求項１】
ポリロタキサンを調製する方法であって、該方法は：
少なくとも（ａ）１つのストッパー基を有する１つの第一の重合性モノマー、及び、少なくとも（ｂ）１つの第二の重合性モノマーのラジカル共重合を実施する工程であって、前記第二のモノマーが環状分子によって錯体化される、工程を含み；
前記共重合の間、前記環状分子を貫通するコポリマーが形成され、前記共重合の間、ストッパー基を有する前記第一のモノマーが、前記コポリマーの鎖の両端部間に少なくとも部分的に組み込まれ、かつ、前記ストッパー基が、前記環状分子がコポリマーから分解するのを防止し；そして
ストッパー基を有する前記第一のモノマーの量が、重合性モノマーの総量１００ｍｏｌ％を基準として０．１ｍｏｌ％〜２０ｍｏｌ％である、方法。
【請求項２】
前記方法が、
（ａ）環状分子とストッパー基を有する第一の重合性モノマーとを含む組成物を提供する工程；
（ｂ）第二の重合性モノマーを工程（ａ）の組成物と合わせる工程及び前記環状分子と前記第二のモノマーとの錯体を形成する工程；並びに
（ｃ）工程（ｂ）の組成物に対してラジカル共重合を実施して、ポリロタキサンを形成する工程を含み；
前記共重合の間、前記環状分子を貫通するランダムコポリマーが形成され、前記共重合の間、ストッパー基を有する前記第一のモノマーが、前記コポリマーの鎖に沿ってランダムに組み込まれる、請求項１に記載の方法。
【請求項３】
ストッパー基を有する前記第一のモノマーの量が、重合性モノマーの総量１００ｍｏｌ％を基準として、０．５ｍｏｌ％〜１８ｍｏｌ％である、請求項１に記載の方法。
【請求項４】
前記方法が、
（ａ）ストッパー基を有する第一の重合性モノマーを含む組成物を提供する工程；
（ｂ）工程（ａ）の組成物に対してラジカル重合を実施して、ストッパー基を有する前記第一のモノマーから誘導される繰り返し単位を含むブロックＡを形成する工程；
（ｃ）第二の重合性モノマーを前記ブロックＡにラジカル共重合して、前記ブロックＡに付着された前記第二の重合性モノマーから誘導される繰り返し単位を含むブロックＢを形成する工程であって、前記第二のモノマーが環状分子によって錯体化される、工程；並びに
（ｄ）ストッパー基を有する第三の重合性モノマーを前記ブロックＢにラジカル共重合して、ブロックＣを形成する工程であって、前記第三のモノマーが前記第一のモノマーと同じ又は異なる、工程を含み；
前記共重合の間、ＡＢＣブロックコポリマーが形成され、前記環状分子がブロックＢ上に通され、そして、ブロックＢが前記ブロックＡと前記ブロックＣとの間に配置され；そして
ストッパー基を有する前記第一のモノマー及び前記第三のモノマーの合計量が、重合性モノマーの総量１００ｍｏｌ％を基準として０．１ｍｏｌ％〜２０ｍｏｌ％である、請求項１に記載の方法。
【請求項５】
工程（ａ）で提供される組成物がラジカル開始剤を含むか、又は重合が、ラジカル開始用の促進剤を加えることによって加速される、請求項２に記載の方法。
【請求項６】
前記環状分子が、シクロデキストリン、シクロデキストリン誘導体及びそれらの任意の組み合わせからなる群より選択される、請求項１に記載の方法。
【請求項７】
前記第一のモノマーが、７０ｇ／ｍｏｌ〜１０００ｇ／ｍｏｌの分子量を有する、請求項１に記載の方法。
【請求項８】
ストッパー基を有する前記第一のモノマーが、ミルセン、芳香族ビニルモノマー、Ｎ−イソプロピル（メタ）アクリルアミド、Ｎ−ビニルカプロラクタム、Ｎ−ビニルイミダゾール、ポリ（エチレングリコール）（メタ）アクリラート、α，ω−ビス（メタ）アクリラート、及びそれらの任意の組み合わせからなる群より選択されるか、又はストッパー基を有する前記第一のモノマーが、置換されていてもよいスチレン、置換されていてもよいスチレンスルホン酸、置換されていてもよいビニルピリジン、置換されていてもよいジビニルベンゼン、及びそれらの任意の組み合わせからなる群より選択される、請求項１に記載の方法。
【請求項９】
前記第二のモノマーが、非イオン性モノマーであるか、又は前記第二のモノマーが、１，３−ジエン、１，３，５−トリエン、（メタ）アクリラート、ビニルエステル（例えば、酢酸ビニル）、ビニル−エーテル、（メタ）アクリロニトリル、（メタ）アクリル酸、（メタ）アクリルアミド、及びそれらの任意の組み合わせからなる、１２０ｇ／ｍｏｌ未満の分子量を有するビニルモノマーの群より選択される、請求項１に記載の方法。
【請求項１０】
前記共重合が、水性媒体中で実施されるか、
前記共重合が、水溶性ラジカル開始剤を使用して実施されるか、又は
前記共重合が、連鎖移動剤を使用して行われる、請求項１に記載の方法。
【請求項１１】
１つの環状分子と前記環状分子を貫通する１つのコポリマーとを含むポリロタキサンであって、前記コポリマーが、少なくとも（ａ）１つのストッパー基を有する１つの第一の重合性モノマーから誘導される構造単位と少なくとも（ｂ）１つの第二の重合性モノマーから誘導される構造単位とを含む非イオン性コポリマーであり、ストッパー基を有する第一のモノマーから誘導される前記構造単位が、前記コポリマーの鎖の両端部間に少なくとも部分的に組み込まれ、前記ストッパー基が、環状化合物がコポリマーから分解するのを防止し、そして、ストッパー基を有する第一のモノマーから誘導される前記構造単位の量がコポリマーの構造単位の総量１００ｍｏｌ％を基準として０．１ｍｏｌ％〜２０ｍｏｌ％である、ポリロタキサン。
【請求項１２】
前記コポリマーが、ストッパー基を有する前記第一の重合性モノマーから誘導される前記構造単位が前記コポリマーの鎖に沿ってその両端部間に少なくとも部分的にランダムに組み込まれた、ランダムコポリマーである、請求項１１に記載のポリロタキサン。
【請求項１３】
ストッパー基を有する第一のモノマーから誘導される前記構造単位の量が、コポリマーの構造単位の総量１００ｍｏｌ％を基準として、０．５ｍｏｌ％〜１８ｍｏｌ％である、請求項１１に記載のポリロタキサン。
【請求項１４】
前記コポリマーが、ストッパー基を有する前記第一の重合性モノマーから誘導される繰り返し単位を含むブロックＡと、前記第二の重合性モノマーから誘導される繰り返し単位を含むブロックＢと、第三の重合性モノマーから誘導される繰り返し単位を含むブロックＣとを含むブロックコポリマーであって、前記第三のモノマーから誘導される前記繰り返し単位が前記第一のモノマーから誘導される前記繰り返し単位と同じ又は異なり、前記ブロックコポリマーにおいて、前記ブロックＢが前記ブロックＡと前記ブロックＣとの間に配置され、前記環状分子がブロックＢ上に通され、そして、前記第一のモノマーから誘導される前記構造単位及び前記第三のモノマーから誘導される前記構造単位の合計量が、コポリマーの構造単位の総量１００ｍｏｌ％を基準として０．１ｍｏｌ％〜２０ｍｏｌ％であるブロックコポリマーである、請求項１１に記載のポリロタキサン。
【請求項１５】
前記環状分子が、シクロデキストリン、シクロデキストリン誘導体及びそれらの任意の組み合わせからなる群より選択される、請求項１１に記載のポリロタキサン。
【請求項１６】
前記第一のモノマーが、７０ｇ／ｍｏｌ〜１０００ｇ／ｍｏｌの分子量を有する、請求項１１に記載のポリロタキサン。
【請求項１７】
ストッパー基を有する前記第一のモノマーが、ミルセン、芳香族ビニルモノマー、Ｎ−イソプロピル（メタ）アクリルアミド、Ｎ−ビニルカプロラクタム、Ｎ−ビニルイミダゾール、ポリ（エチレングリコール）（メタ）アクリラート、α，ω−ビス（メタ）アクリラート、及びそれらの任意の組み合わせからなる群より選択されるか、又はストッパー基を有する前記第一のモノマーが、置換されていてもよいスチレン、置換されていてもよいスチレンスルホン酸、置換されていてもよいビニルピリジン、置換されていてもよいジビニルベンゼン、及びそれらの任意の組み合わせからなる群より選択される、請求項１１に記載のポリロタキサン。
【請求項１８】
前記第二のモノマーが疎水性モノマーであるか、又は前記第二のモノマーが、１，３−ジエン、１，３，５−トリエン、（メタ）アクリラート、ビニルエステル（例えば、酢酸ビニル）、ビニル−エーテル、（メタ）アクリロニトリル、（メタアクリル）酸、（メタ）アクリルアミド、及びそれらの任意の組み合わせからなる、１２０ｇ／ｍｏｌ未満の分子量を有するビニルモノマーの群より選択される、請求項１１に記載のポリロタキサン。
【請求項１９】
請求項１１に記載のポリロタキサンが化学的又は物理的に架橋されている、架橋されたポリロタキサン。
【請求項２０】
ポリロタキサンが、環状分子と架橋剤を介して分子間で架橋され、且つ前記架橋剤が、ジイソシアナート、ブロックジイソシアナート、ジイソチオシアナート、ビスエポキシド、シアヌル酸クロリド、ジビニルスルホン、及びそれらの任意の組み合わせからなる群より選択される、請求項１９に記載の架橋されたポリロタキサン。
【請求項２１】
金属粒子及び／又は金属酸化物粒子と請求項１１に記載のポリロタキサンとを含む、分散液。